(57)【要約】【課題】プッシュツートークオーバーセルラのグループ通話サービスにおいて、グループ通話に参加する全ての端末に平等に送話の機会を与えること。【解決手段】マルチ送話権制御部１０２は、メディア分配制御部７０５に対して、ＰｏＣ端末Ｂから送信されたメディアデータをメディア蓄積装置１０４に転送するように指示し、メディア蓄積装置１０４を起動する。メディア分配制御部７０５は、ＰｏＣ端末ＡからＳＩＰ／ＩＰコアサーバ７１０を介して送られてくるメディアデータを、送信制御部７０６、ＳＩＰ／ＩＰコアサーバ７１０を介してグループ通話に参加する全てのＰｏＣ端末に配信されるように制御する。送話権制御部７０７は、送話権衝突検出タイマ１０１を起動し、送話権衝突検出タイマ１０１が動作中に別のＰｏＣ端末から送話権問合せを受信した場合にこれを衝突として検出し、ＰｏＣ端末Ｂのマルチ送話状態をマルチ送話権制御部１０２に通知する。【選択図】図１
2007142488.tif 000002
【特許請求の範囲】
【請求項１】
複数の端末装置から送話権問合せを受け付ける受付手段と、
前記送話権問合せを受け付けた複数の前記端末装置に送話権を与えるとともに、前記送話権を与えた前記端末装置から送信されたメディアデータの他の端末装置への配信を制御する送話権制御手段と、
を具備する送話権制御装置。
【請求項２】
前記送話権問い合わせを受け付けた前記端末装置の内で最初に前記送話権が与えられなかった端末装置から送信されたメディアデータを蓄積する蓄積手段を具備し、
前記送話権制御手段は、最初に前記送話権が与えられた端末装置から送信されたメディアデータの他の端末装置への配信が終わった後に前記蓄積手段に蓄積されているメディアデータの配信を開始する請求項１記載の送話権制御装置。
【請求項３】
前記送話権が与えられた複数の前記端末装置から送信された複数のパケットに分割されたメディアデータが時間軸上で異なるタイミングで配信されるように前記パケットを合成する合成手段を具備し、
前記送話権制御手段は、前記合成手段にて合成された前記パケットのメディアデータを前記端末装置へ配信する請求項１記載の送話権制御装置。
【請求項４】
複数の端末装置から送話権問合せを受け付けるステップと、
前記送話権問合せを受け付けた複数の前記端末装置に送話権を与えるとともに、前記送話権を与えた前記端末装置から送信されたメディアデータの他の端末装置への配信を制御するステップと、
を具備する送話権制御方法。
【請求項５】
前記送話権問い合わせを受け付けた前記端末装置の内で最初に前記送話権が与えられなかった端末装置から送信されたメディアデータを蓄積するステップを具備し、
最初に前記送話権が与えられた端末装置から送信されたメディアデータの他の端末装置への配信が終わった後に、蓄積されているメディアデータの配信を開始する請求項４記載の送話権制御方法。
【請求項６】
前記送話権が与えられた複数の前記端末装置から送信された複数のパケットに分割されたメディアデータが時間軸上で異なるタイミングで配信されるように前記パケットを合成するステップを具備し、
合成された前記パケットのメディアデータを前記端末装置へ配信する請求項４記載の送話権制御方法。
【請求項７】
複数の端末装置から送話権問合せを受け付けるステップと、
前記送話権問合せを受け付けた複数の前記端末装置に送話権を与えるとともに、前記送話権を与えた前記端末装置から送信されたメディアデータの他の端末装置への配信を制御するステップと、
をコンピュータに実行させることを特徴とするコンピュータプログラム。
【発明の詳細な説明】
【技術分野】
【０００１】
本発明は、プッシュツートークオーバーセルラの送話権制御装置及び送話権制御方法に関し、特に、複数の携帯電話、ＩＰ電話に代表されるインターネット端末によって構成されるプッシュツートークオーバーセルラ(Push-to-Talk over Cellular：以下「ＰｏＣ」と記載する)のグループ通話サービスでの送話権制御装置及び送話権制御方法に関する。
【背景技術】
【０００２】
図６にＰｏＣのグループ通話サービスの説明図を示す。送話者６００に対して複数の受話者６０１〜６０３が存在する通話サービスであり、送話端末が送信を一度終えた時点で、グループ内の端末が次の送話端末を取り合うことになる。
【０００３】
送話端末の決定方法としては、グループ通話の各端末を管理するＰｏＣサーバが、一番早く送話要求を受け取った端末に対して、送話の権利を与えるのが一般的な制御方法である。
【０００４】
図７は、従来のシステムの構成を示すブロック図であり、ＰｏＣサーバ７００とＳＩＰ／ＩＰコアサーバ７１０とからなる。
【０００５】
ＰｏＣサーバ７００は、送話権を制御するためのサーバであり、ＳＩＰ／ＩＰコアサーバ７１０は、ＩＰ (Internet Protocol) プロトコルを用いたネットワーク上で、ＳＩＰ(Session Initiation Protocol)の処理を行うサーバである。ＳＩＰは、通信装置間のセッション（通信路）確立、維持、切断を制御するためのセッション制御プロトコルであり、ＩＥＴＦ (Internet Engineering Task Force) で標準化が行われ、ＲＦＣ３２６１により仕様が決定されている。
【０００６】
ＰｏＣサーバ７００は、ＰｏＣサーバ７００のセッション開始・終了を制御するＰｏＣセッション開始／終了制御部７０１と、グループ参加メンバーリスト７０２に従ってグループへの参加の正当性を監視するグループ参加可否制御部７０３と、音声メディアデータの受信を制御する受信制御部７０４と、受信した音声メディアデータの分配を制御するメディア分配制御部７０５と、メディア分配制御部７０５の制御に従って音声メディアデータの送信を制御する送信制御部７０６と、送話権を制御する送話権制御部７０７と、ＰｏＣセッション開始／終了制御部７０１、グループ参加可否制御部７０３、受信制御部７０４、メディア分配制御部７０５、送信制御部７０６、送話権制御部７０７の各部を制御するＰｏＣセッション中央制御部７０８とで構成している。
【０００７】
図８にＰｏＣ送話権制御の基本シーケンスを示す。
【０００８】
ＰｏＣ端末Ａがグループに対して送話を行う場合、最初に、「送話権問合せ８１０」をＳＩＰ／ＩＰコアサーバ７１０を介してＰｏＣサーバ７００に送り、ＰｏＣサーバ７００が、ＰｏＣ端末Ａの正当性をチェックし、その要求を受け付けると、その要求が受け付けられたことを示す「受付８１２」をＳＩＰ／ＩＰコアサーバ７１０を介してＰｏＣ端末Ａに送信して、ＰｏＣ端末Ａにグループ通話に対する送話権（又は送信権）を授与する。これにより、ＰｏＣ端末Ａが、ＳＩＰ／ＩＰコアサーバ７１０を介してＰｏＣサーバ７００に「音声メディアデータ８１６」を送信すると、ＰｏＣサーバ７００は、グループ参加端末に対して「音声メディアデータ８１６」を送信する。ＰｏＣサーバ７００は、送信結果としての「通知８１８」をＳＩＰ／ＩＰコアサーバ７１０を介してＰｏＣ端末Ａに送り、送話を完了する。
【０００９】
次に、図９は、グループ通話に参加する複数のＰｏＣ端末が送話を行おうとした場合の例を示し、図９では、ＰｏＣ端末Ａ、Ｂがほぼ同時に送話権問い合わせを行う場合である。
【００１０】
複数の端末が送話権を得ようとしても、ＰｏＣサーバ７００の受け取る「送話権問合せ」には先着、後着がでる。例えば、ＰｏＣサーバ７００が、ＰｏＣ端末Ａから送信した「Ａ送話権問合せ９１０」を先に受け取った場合、「受付９１２」をＰｏＣ端末Ａに返して、後着になるＰｏＣ端末Ｂからの「Ｂ送話権問合せ９１１」に対しては「拒否９１３」を返すことになり、ＰｏＣ端末Ｂは送話権を得ることができない。
【００１１】
なお、ＰｏＣに関する先行技術文献としては、例えば、特許文献１に示すようなものが知られている。
【特許文献１】米国特許出願公開第２００５／０１０５５１１号明細書
【発明の開示】
【発明が解決しようとする課題】
【００１２】
しかしながら、従来の携帯電話、ＩＰ電話を含めたプッシュツートーク（ＰＴＴ）のシステムにおいては、グループ通話に参加する端末の場所、通信状態、経由するネットワークの状態はさまざまであり、例えば、無線状態の良くない通信圏外付近の携帯電話端末からの送話要求と、通信状態の良い端末からの送話要求とが、同時に送話要求を行ったとしても、無線状態の良くない通信圏外付近の携帯電話端末の送話要求が、ＰｏＣサーバに遅れて到達する可能性が高い。この場合、通信状態の良くない端末は、いつまでたっても送話権を得ることができないという問題がある。
【００１３】
又、送話権を均等に割り振るために順序性をもって優先順位を設けるなどのロジックを持つようにしても、送話権を得ようとしたときに拒否されてしまう場合があり、ユーザの利便性の観点からは問題がある。
【００１４】
本発明は、かかる点に鑑みてなされたものであり、ＰｏＣのグループ通話サービスにおいて、グループ通話に参加する全ての端末に平等に送話の機会を与えることができる送話権制御装置及び送話権制御方法を提供することを目的とする。
【課題を解決するための手段】
【００１５】
本発明の送話権制御装置は、複数の端末装置から送話権問合せを受け付ける受付手段と、前記送話権問合せを受け付けた複数の前記端末装置に送話権を与えるとともに、前記送話権を与えた前記端末装置から送信されたメディアデータの他の端末装置への配信を制御する送話権制御手段と、を具備する構成を採る。
【００１６】
本発明の送話権制御方法は、複数の端末装置から送話権問合せを受け付けるステップと、前記送話権問合せを受け付けた複数の前記端末装置に送話権を与えるとともに、前記送話権を与えた前記端末装置から送信されたメディアデータの他の端末装置への配信を制御するステップと、を具備するようにした。
【００１７】
本発明のコンピュータプログラムは、複数の端末装置から送話権問合せを受け付けるステップと、前記送話権問合せを受け付けた複数の前記端末装置に送話権を与えるとともに、前記送話権を与えた前記端末装置から送信されたメディアデータの他の端末装置への配信を制御するステップと、をコンピュータに実行させるようにした。
【発明の効果】
【００１８】
本発明によれば、ＰｏＣのグループ通話サービスにおいて、グループ通話に参加する全てのＰｏＣ端末に平等に送話の機会を与えることができる。
【発明を実施するための最良の形態】
【００１９】
以下に、本発明の実施の形態について、図面を参照して詳細に説明する。なお、図７で説明した従来技術の構成と同一部分には同一符号を付して、その説明を省略する。
【００２０】
（実施の形態１）
図１は、本発明の実施の形態１に係るＰｏＣの送話権制御装置の構成を示すブロック図、図２は、実施の形態１のグループ通話送話権制御のシーケンスを示す図である。
【００２１】
はじめに、図２を用いて、実施の形態１の概要を説明する。
【００２２】
グループ通話に参加した全ＰｏＣ端末が非送信状態にある時に、ＰｏＣ端末Ａから「Ａ送話権問合せ２１０」がＳＩＰ／ＩＰコアサーバ７１０を介して本発明のＰｏＣサーバ１００に通知される。この時、ＰｏＣ端末Ｂからも「Ｂ送話権問合せ２１１」が通知された場合、ＰｏＣサーバ１００は、ＰｏＣ端末Ａ、Ｂに対してそれぞれ「Ａ受付２１３」、「Ｂ受付２１４」をＳＩＰ／ＩＰコアサーバ７１０を介して返信する。
【００２３】
送話権を与えられた両端末は、各々ＳＩＰ／ＩＰコアサーバ７１０を経由してＰｏＣサーバ１００に音声メディアデータを送信するが、ＰｏＣサーバ１００は、先に送話権を与えたＰｏＣ端末Ａの「Ａ音声メディアデータ２１６」をグループ通話に参加する端末にＳＩＰ／ＩＰコアサーバ７１０を介して送信し、後に送話権を与えたＰｏＣ端末Ｂの「Ｂ音声メディアデータ２１７」は、ＰｏＣサーバ１００のメディア蓄積装置１０４に一時的に記憶しておき、ＰｏＣ端末Ａの「Ａ音声メディアデータ２１６」の送信を終了して、「Ａ通知２１９」をＳＩＰ／ＩＰコアサーバ７１０を介してＰｏＣ端末Ａに送信した後、グループ通話に参加する全端末に対して、メディア蓄積装置１０４に蓄積しておいた「Ｂ音声メディアデータ２２０」をＳＩＰ／ＩＰコアサーバ７１０を介して送信する。
【００２４】
ＰｏＣサーバ１００に蓄積されていた「Ｂ音声メディアデータ２１７」の送信を終了すると、ＰｏＣサーバ１００は、ＰｏＣ端末Ｂへの「Ｂ通知２２２」をＳＩＰ／ＩＰコアサーバ７１０を介して通知する。
【００２５】
上記シーケンスを可能にするために、本発明のＰｏＣサーバ１００は、送話権問合わせを受信すると起動する送話権衝突検出タイマ１０１と、音声メディアデータを一旦格納するメディア蓄積装置１０４と、複数のＰｏＣ端末から送話権問合わせを受信した時、メディア分配制御部７０５とメディア蓄積装置１０４とを制御して、本発明のグループ通話、即ち、複数のＰｏＣ端末に同時に送話権を授与し、グループ通話を制御にするマルチ送話権制御部１０２とを具備している。
【００２６】
次に、図１を参照して、実施の形態１に係わるＰｏＣの送話権制御装置の動作を説明する。
【００２７】
ＰｏＣサーバ１００の受信制御部７０４で受信した「Ａ送話権問合せ２１０」は、グループ参加可否制御部７０３で、当該ＰｏＣ端末Ａの正当性が、グループ参加メンバーリスト７０２に基づきチェックされ、その後、送話権制御部７０７からＰｏＣ端末Ａに「Ａ受付２１３」が送信されて、ＰｏＣ端末Ａに送話権が授与される。そして、ＰｏＣサーバ１００の送話権制御部７０７は、送話権衝突検出タイマ１０１を起動し、送話権衝突検出タイマ１０１が動作中に別のＰｏＣ端末から送話権問合せを受信した場合にこれを衝突として検出する。
【００２８】
送話権衝突検出タイマ１０１の動作中に、ＰｏＣ端末Ｂからの「Ｂ送話権問合せ２１１」を受信すると、グループ参加可否制御部７０３が、ＰｏＣ端末Ａの場合と同様にその正当性をチェックし、その後、送信制御部７０６を介して、「Ｂ受付２１４」がＰｏＣ端末Ｂに返信される。この時、送話権制御部７０７は、送話権衝突検出タイマ１０１の動作中であることから送話権の衝突を検出し、ＰｏＣ端末Ｂのマルチ送話状態をマルチ送話権制御部１０２に通知する。
【００２９】
マルチ送話権制御部１０２は、メディア分配制御部７０５に対して、ＰｏＣ端末Ｂから送信されたメディアデータをメディア蓄積装置１０４に転送するように指示し、メディア蓄積装置１０４を起動する。又、マルチ送話権制御部１０２は、マルチ送話タイマ１０３を起動して、マルチ送話状態を継続する時間、メディア蓄積装置１０４にデータを蓄積する時間を計測する。
【００３０】
ＰｏＣ端末ＡからＳＩＰ／ＩＰコアサーバ７１０を介して送られてくる「Ａ音声メディアデータ２１６」は、メディア分配制御部７０５の制御により送信制御部７０６、ＳＩＰ／ＩＰコアサーバ７１０を介してグループ通話に参加する全てのＰｏＣ端末に配信される。
【００３１】
一方、ＰｏＣ端末Ａからの「Ａ音声メディアデータ２１６」を各グループ端末に送信している間に、ＰｏＣ端末ＢからＳＩＰ／ＩＰコアサーバ７１０を介して送られる「Ｂ音声メディアデータ２１７」は、メディア分配制御部７０５の制御により、メディア蓄積装置１０４に転送され、メディア蓄積装置１０４に蓄積される。
【００３２】
ＰｏＣ端末Ａからの「Ａ音声メディアデータ２１６」の配信が終了すると、ＰｏＣサーバ１００は、ＰｏＣ端末Ａの送話権を解放し、送信制御部７０６、ＳＩＰ／ＩＰコアサーバ７１０を介して、ＰｏＣ端末Ａにグループ通話の配信に関するリザルトを含む「Ａ通知２１９」を送る。
【００３３】
送話権制御部７０７が、マルチ送話権制御部１０２にＰｏＣ端末Ａの送話権の解放を通知すると、マルチ送話権制御部１０２は、メディア蓄積装置１０４に蓄積されたＰｏＣ端末Ｂの「Ｂ音声メディアデータ２１７」をメディア分配制御部７０５よりＳＩＰ／ＩＰコアサーバ７１０を介してグループ通話に参加する全てのＰｏＣ端末に配信する。
【００３４】
そして、メディア蓄積装置１０４に蓄えられた「Ｂ音声メディアデータ２１７」の配信を終了すると、ＰｏＣセッション中央制御部７０８は、ＰｏＣ端末Ｂの送話権の解放を送話権制御部７０７に指示し、送信制御部７０６、ＳＩＰ／ＩＰコアサーバ７１０を介してＰｏＣ端末Ｂにグループ通話の配信に関するリザルトを含む「Ｂ通知２２２」を送る。
【００３５】
このように、本実施の形態１によれば、グループ通話に参加する複数の端末からの送話権の要求を同時に受け付けることが出来るので、端末が、送話権の要求を拒否されることがなくなり、グループ通話に参加する全ての端末に平等に送話の機会を与えることができるとともに円滑なグループ通話が可能になる。
【００３６】
（実施の形態２）
図３は、本発明の実施の形態２に係るＰｏＣの送話権制御装置の構成を示すブロック図、図４は、実施の形態２のグループ通話送話権制御のシーケンスを示す図である。
【００３７】
実施の形態１に係るＰｏＣの送話権制御装置は、ＰｏＣサーバが、複数のＰｏＣ端末に送話権を与えたとき、はじめに送話権を与えた第１のＰｏＣ端末からのメディアデータをグループの各端末に配信するように制御し、第１のＰｏＣ端末からのメディアデータをグループの各端末に配信している時、後に送話権を与えた第２のＰｏＣ端末から受信したメディアデータをメディア蓄積装置に一旦蓄積し、はじめに送話権を与えたＰｏＣ端末からのメディアデータの、グループの各端末への配信が終了した後、メディア蓄積装置に蓄積したメディアデータをグループの各端末への配信するように構成した。
【００３８】
これに対して、実施の形態２に係るＰｏＣの送話権制御装置は、複数のＰｏＣ端末からのメディアデータを合成するメディア合成手段を設けて、ＰｏＣサーバが、複数のＰｏＣ端末に同時に送話権を与えたとき、メディア合成手段で、複数のＰｏＣ端末からのメディアデータを合成し、合成したメディアデータをグループの各端末に配信するように構成したものである。
【００３９】
従って、実施の形態２に係るＰｏＣの送話権制御装置では、ＰｏＣサーバが、ＰｏＣ端末Ａ、Ｂに送話権を与えるまでのシーケンスは、実施の形態１の送話権制御装置のシーケンスと同じである。
【００４０】
次に、実施の形態２に係るＰｏＣの送話権制御装置について説明する。なお、実施の形態１のＰｏＣの送話権制御装置と同一部分には同一符号を付して、その説明を省略する。
【００４１】
図４のシーケンス図に示すように、送話権を与えられたＰｏＣ端末Ａ、Ｂは、各々ＳＩＰ／ＩＰコアサーバ７１０を経由して、実施の形態２のＰｏＣサーバ３００に「Ａ音声メディアデータ４１６」、「Ｂ音声メディアデータ４１７」を送信する。ＰｏＣサーバ３００は、ＰｏＣ端末Ａ、Ｂから受けた「Ａ音声メディアデータ４１６」と「Ｂ音声メディアデータ４１７」とを合成４１８して、合成した「Ａ＋Ｂ音声メディアデータ４２０」をグループ通話に参加する各端末にＳＩＰ／ＩＰコアサーバ７１０を介して送信する。ＰｏＣ端末Ａの「Ａ音声メディアデータ４１６」の送信を終了すると、「Ａ通知２１９」をＳＩＰ／ＩＰコアサーバ７１０を介して送信を終了したＰｏＣ端末Ａに送信する。同様に、ＰｏＣ端末Ｂの「Ｂ音声メディアデータ４１７」の送信を終了すると、「Ｂ通知２２２」をＳＩＰ／ＩＰコアサーバ７１０を介して送信を終了したＰｏＣ端末Ｂに送信する。
【００４２】
次に、図３を参照して、実施の形態２の動作を説明する。
【００４３】
ＰｏＣ端末Ａに送話権が授与されと、ＰｏＣサーバ３００の送話権制御部７０７は、送話権衝突検出タイマ１０１を起動し、送話権衝突検出タイマ１０１が動作中に別のＰｏＣ端末から送話権問合せを受信した場合にこれを衝突として検出する。
【００４４】
送話権衝突検出タイマ１０１の動作中に、ＰｏＣ端末Ｂからの「Ｂ送話権問合せ２１１」を受信すると、ＰｏＣ端末Ｂの正当性がチェックされ、その後、「Ｂ受付２１４」が返信される。この時、送話権制御部７０７は、送話権衝突検出タイマ１０１の動作中であることから送話権の衝突を検出し、ＰｏＣ端末Ｂのマルチ送話状態をマルチ送話権制御部１０２に通知する。
【００４５】
マルチ送話権制御部１０２は、メディア分配制御部７０５に対して、ＰｏＣ端末Ａ及びＰｏＣ端末Ｂから受信したメディアデータをメディア合成部３０４に転送するように指示し、メディア合成部３０４を起動する。メディア合成部３０４は、ＰｏＣ端末Ａ及びＰｏＣ端末Ｂから受信したメディアデータを合成し、合成したメディアデータは、メディア分配制御部７０５、送信制御部７０６を介して、ＰｏＣサーバ３００から出力され、ＳＩＰ／ＩＰコアサーバ７１０を介してグループ通話に参加する全てのＰｏＣ端末に配信される。
【００４６】
ＰｏＣ端末Ａからの「Ａ音声メディアデータ４１６」の配信が終了すると、ＰｏＣセッション中央制御部７０８は、ＰｏＣ端末Ａの送話権の解放を送話権制御部７０７に通知し、送信制御部７０６、ＳＩＰ／ＩＰコアサーバ７１０を介してＰｏＣ端末Ａにグループ通話の配信に関するリザルトを含む「Ａ通知２１９」を送る。
【００４７】
その後、送話権制御部７０７は、マルチ送話権制御部１０２にメディア合成部３０４の動作を停止するように指示して、ＰｏＣ端末Ｂの「Ｂ音声メディアデータ４１７」のみをメディア分配制御部７０５からＳＩＰ／ＩＰコアサーバ７１０を介してグループ通話に参加する全てのＰｏＣ端末に配信する。
【００４８】
ＰｏＣ端末Ｂからの「Ｂ音声メディアデータ４１７」の配信が終了すると、ＰｏＣ端末Ｂにグループ通話の配信に関するリザルトを含む「Ｂ通知２２２」を送る。
【００４９】
図５は、メディア合成部３０４のメディアデータ合成処理のイメージを示す図である。
【００５０】
Ａ音声メディアデータ（Ａ音声パケット）４１６とＢ音声メディアデータ（Ｂ音声パケット）４１７とは、時間軸上で異なるタイミングのパケットとして受信されるが、ＰｏＣサービスのＱｏＳを保証する観点からこれらのパケットデータは同一レートである場合、図５に示すように、時間的なオフセットを持つだけで、最大一区間遅らせるだけで容易に合成ができる。
【００５１】
このように、本実施の形態２によれば、グループ通話に参加する複数の端末からの送話権の要求を同時に受け付けることが出来るので、端末が、送話権の要求を拒否されることがなくなり、グループ通話に参加する全ての端末に平等に送話の機会を与えることができるとともに円滑なグループ通話が可能になる。
【００５２】
なお、上記実施の形態１及び実施の形態２において、音声メディアデータを例にして説明したが、音声メディアデータに加えて、映像データ、その他のデータを送信するように構成しても良い。また、上記実施の形態１及び実施の形態２において、ＰｏＣのグループ通話サービスでの各通信端末とＳＩＰ／ＩＰコアサーバとＰｏＣサーバの動作手順及び送話権制御方法をコンピュータプログラムにより表現して、コンピュータプログラムをコンピュータに実行させても良く、また、ＰｏＣのグループ通話サービスでの各通信端末とＳＩＰ／ＩＰコアサーバとＰｏＣサーバの動作手順または送話権制御方法を表現したコンピュータプログラムをＣＤ−ＲＯＭまたはＤＶＤ等の記録媒体に記録させること、またはＰｏＣのグループ通話サービスでの各通信端末とＳＩＰ／ＩＰコアサーバとＰｏＣサーバの動作手順または送話権制御方法を表現したコンピュータプログラムを電気通信回線を用いてコンピュータへ伝送して、伝送先のコンピュータを用いて伝送されたコンピュータプログラムを実行させるようにしても良い。
【産業上の利用可能性】
【００５３】
本発明は、特に、ＰｏＣのグループ通話の送話権制御装置に好適である。
【図面の簡単な説明】
【００５４】
【図１】本発明の実施の形態１に係るＰｏＣの送話権制御装置の構成を示すブロック図
【図２】本発明の実施の形態１に係るＰｏＣの送話権制御のシーケンスを示す図
【図３】本発明の実施の形態２に係るＰｏＣの送話権制御装置の構成を示すブロック図
【図４】本発明の実施の形態２に係るＰｏＣの送話権制御のシーケンスを示す図
【図５】本発明の実施の形態２に係るメディアデータの合成処理を説明する図
【図６】ＰｏＣのグループ通話を説明する図
【図７】従来のＰｏＣの送話権制御装置の構成を示すブロック図
【図８】従来のＰｏＣの送話権制御のシーケンスを示す図
【図９】従来のＰｏＣの送話権制御の衝突シーケンスを示す図
【符号の説明】
【００５５】
１００、３００、７００  ＰｏＣサーバ
１０１  送話権衝突検出タイマ
１０２  マルチ送話権制御部
１０３  マルチ送話タイマ
１０４  メディア蓄積装置
３０４  メディア合成部
７０１  ＰｏＣセッション開始／終了制御部
７０３  グループ参加可否制御部
７０４  受信制御部
７０５  メディア分配制御部
７０６  送信制御部
７０７  送話権制御部
７０８  ＰｏＣセッション中央制御部
７１０  ＳＩＰ／ＩＰコアサーバ
【図１】
2007142488.tif 000003
【図２】
2007142488.tif 000004
【図３】
2007142488.tif 000005
【図４】
2007142488.tif 000006
【図５】
2007142488.tif 000007
【図６】
2007142488.tif 000008
【図７】
2007142488.tif 000009
【図８】
2007142488.tif 000010
【図９】
2007142488.tif 000011